(57)【特許請求の範囲】
【請求項１】
対象物を複数のフィンガにより把持するロボットハンドの構造であって、
前記フィンガのそれぞれの外周にコイルばねが巻き付けられ、少なくとも、その両端を除いた中間部分の巻き線がフィンガの長手方向に変位可能とされていることを特徴とするロボットハンドのフィンガ構造。
【請求項２】
少なくとも３本のフィンガが対象物を取り囲むように配置されている、請求項１に記載のフィンガ構造。
【請求項３】
フィンガの先端側には、コイルばねの先端が当接するように拡径された受け部が設けられ、この受け部に一体的に先細りのテーパ部が形成されている、請求項１または２のいずれかに記載のフィンガ構造。
【請求項４】
フィンガの外周とこれを取り囲むコイルばねの内周とのクリアランスが所定範囲に設定されている、請求項１〜３のいずれか１つに記載のフィンガ構造。
【請求項５】
フィンガの長手方向の中間部に括れ部が形成されている、請求項１〜４のいずれか１つに記載のフィンガ構造。
【請求項６】
複数のコイルばねのうち、少なくとも１つが右巻きで、少なくとも１つが左巻きである、請求項１〜５のいずれか１つに記載のフィンガ構造。
【請求項７】
コイルばねは、その長手方向に巻き線の太さやピッチが異なるものである、請求項１〜６のいずれか１つに記載のフィンガ構造。
【発明の詳細な説明】
【技術分野】
【０００１】
本発明は、物品を把持して搬送するロボットハンドのフィンガの構造に関する。
【背景技術】
【０００２】
従来より、生産現場においては部品等のピッキング、ハンドリングを自動化するために産業用ロボットが使用されており、多種多様な寸法、形状の部品を把持して搬送するための種々の構造のロボットハンドが提案されている。このようなロボットハンドのフィンガには一般的に、その把持面が滑り難くなるように模様を刻む所謂ローレット加工を施したり、或いはゴムや樹脂等の弾性シートを貼り付けたりしている。
【０００３】
また、部品の組立てや分解に用いられるロボットについては特に大きな把持力が必要なので、例えば特許文献１に記載のロボットハンドでは、フィンガにスリットの入った板ばね状の部材を巻き付けて固定している。こうするとフィンガにより物体を把持したときに、この把持物体により加圧されて板ばね状部材の一部分が変形し、これに隣接する変形していない部分との間のスリットが開いて、そのエッジが把持物体の表面に強く押し付けられるようになる。
【０００４】
さらに、特許文献２には、少なくとも２つの指（フィンガ）の互いに対向する面にそれぞれ出没可能な多数のスリーブピンを埋め込み、かつこのスリーブピンを突出するように付勢して、把持力を高めるようにしたロボットハンドについて記載されている。
【０００５】
尚、特許文献３には、対象物を把持面の摩擦に頼らず、機械的な動作のみで適切に保持することのできるメカニカルユニバーサルハンドが開示されている。この文献の図８に示されているロボットハンドは、対象物を取り囲むように配置された３本のフィンガユニットにそれぞれ複数の関節を備えており、それらが対象物に巻き付くように折れ曲がって、包み込むように保持するものである。
【先行技術文献】
【特許文献】
【０００６】
【特許文献１】特開２００４−２６８１４７号公報
【特許文献２】特開平２−１８５３８９号公報
【特許文献３】特開２００６−１９８７４８号公報
【発明の概要】
【発明が解決しようとする課題】
【０００７】
ところで、従来一般的な弾性シートを貼り付ける方法では、フィンガの把持面の摩擦係数を自由に設定することができ、対象物に傷を付ける心配もないが、このような弾性シートは通常、摩耗しやすく、剥がれたりすることも多いので、ロボットハンドとして十分な耐久性を確保することは難しい。一方、ローレット加工には比較的コストがかかるという難があるし、長期間、使用すれば摩耗してしまい、滑り止め効果の低下することは避けられない。
【０００８】
また、特許文献１のようにスリットの入った板ばね状部材を巻き付けたフィンガでは、これにより把持した物体の表面に板ばね状部材のスリットのエッジが強く押し付けられるようになり、このエッジの位置がフィンガの長手方向には固定されていることから、搬送中に軽微な衝撃を受けただけでも局所的には強い力が加わることになり、把持物体の表面に傷を付ける心配がある。
【０００９】
この点では特許文献２に記載のフィンガでも、その対向面から突出するスリーブピンの位置がフィンガの長手方向には固定されているため、前記特許文献１のものと同様の心配がある。しかも、個々のフィンガに多数のスリーブピンを埋め込む構造は複雑にならざるを得ず、安価なものとはいえない。
【００１０】
尚、特許文献３のように多関節のフィンガユニットを備えたメカニカルユニバーサルハンドは複雑なな構造で非常に高価であるし、前記したように対象物を保持する際に折れ曲がると、フィンガユニットの関節部分が外に張り出すことになるから、例えば箱に収納されている部品を取り出すときに周囲の壁と干渉する等、狭隘な環境下では使用し辛い面がある。
【００１１】
本発明はかかる諸事情を鑑みてなされたもので、その目的は、比較的コストのかからない簡単な構造でもって所要の把持性能が安定して得られ、十分な耐久性を確保できるとともに、狭隘な環境下でも使用しやすい優れたフィンガ構造を提供することである。
【課題を解決するための手段】
【００１２】
前記の目的を達成すべく本発明は、対象物を複数のフィンガにより把持するロボットハンドにおいて、そのフィンガの外周にコイルばねを巻き付けて、少なくともその両端を除いた中間部分の巻き線がフィンガの長手方向に変位するように取り付けたものである。
【００１３】
前記の構造では、ロボットハンドのフィンガの外周に巻き付けられたコイルばねが、例えて言えばローレット加工の模様のように滑り止めの効果を生じ得るとともに、巻き線の間に対象物の表面を挟み込んで、フィンガ長手方向への変位を或る程度は許容しつつ拘束するので、対象物の把持の状態が安定し、その表面に傷を付ける心配も少ない。また、コイルばねを装着するだけの簡単な構造であり、ローレット加工のような摩耗による滑り止め効果の低下も少ない。仮に滑り止め効果が低下してもコイルばねを交換すれば容易に回復する。
【００１４】
好ましいのは、少なくとも３本のフィンガを、対象物を取り囲むように（つまり、それら３本のフィンガが大体同じ方向に延びていて、この方向に見ると、それぞれ対象物の表面に接触する点が三角形を描くような位置関係で）配置することであり、こうすれば、それらのフィンガによる対象物の把持状態を安定させる上で有利になる。
【００１５】
その場合に３本以上のフィンガは概ね直線状のものとして、互いに平行に延びるように配置するのが周囲との干渉を防止する上で特に好ましい。また、それらのフィンガの先端には、コイルばねの先端が当接するように拡径する受け部を設けて、該コイルばねの脱落を阻止するとともに、この受け部に一体的に先細りのテーパ部を形成すれば、フィンガを狭隘な場所に挿入するときのガイドとして機能させることができる。
【００１６】
また、前記フィンガの外周とこれを取り囲むコイルばねの内周とのクリアランスは所定の範囲（例えば数百ミクロンから大きくても数ミリ程度）に設定するのがよいが、例えばフィンガの先端側および基端側においてそれぞれコイルばねとのクリアランスを前記の所定範囲に収めるようにすれば、そのフィンガの長手方向の中間部には括れ部を設けてもよい。こうすれば、比較的大きな対象物を把持するときにその表面の凸形状にフィンガの括れ部の形状が合致して、接触点が増える可能性がある。
【００１７】
さらにまた、前記複数のフィンガにそれぞれ巻き付けるコイルばねは、その少なくとも１つを右巻きとし、少なくとも１つは左巻きとしてもよく、こうすれば、対象物の脱落が抑制されることが期待できる。
【００１８】
また、コイルばねとしてその長手方向に巻き線の太さやピッチの異なるものを用いてもよく、こうすれば、１つのコイルばねでもって寸法や形状の異なる複数の対象物をそれぞれ好適に把持できる可能性がある。
【発明の効果】
【００１９】
以上より、本発明に係るロボットハンドのフィンガ構造によると、フィンガの外周にコイルばねを巻き付けるという簡単な構造でありながら、ローレット加工を施すのと同等、ないしそれ以上の把持性能が安定的に得られるとともに、弾性シートでは実現の難しい十分な耐久性も得られる。また、例えば多関節のフィンガを備えたロボットハンドに比べれば低コストであり、狭隘な環境下でも使用しやすい。
【図面の簡単な説明】
【００２０】
【図１】本発明に係るロボットハンドを装着したロボットの一例を示す斜視図である。
【図２】同ロボットハンドを拡大して示す斜視図である。
【図３】同ロボットハンドの駆動機構の一例を示す説明図である。
【図４】同ロボットハンドによる部品の把持の説明図である。
【図５】フィンガの途中に括れを設けた他の実施形態に係る図４(b)相当図である。
【図６】いわゆる不等ピッチコイルばねを用いた他の実施形態に係る図４相当図であり、巻き線ピッチの狭いフィンガの先端側で比較的小さな部品を把持する状態を示す。
【図７】フィンガの先端に吸着パッドを配設した他の実施形態に係る図２相当図であり、同図(b)には吸着パッドを可動とした変形例も示す。
【発明を実施するための形態】
【００２１】
以下、添付の図面を参照しながら本発明の実施形態について説明する。図１は、本発明に係るロボットの一実施の形態を示す斜視図であり、この図１のロボットハンドを拡大して示したのが図２である。また、図３は、ロボットハンドのフィンガを作動させるための機構の一例を示した説明図である。
【００２２】
図１に示すロボット１はいわゆる多関節型のもので、床などに固定される固定部２と、その上部において鉛直軸線ａの周りに旋回（矢印Ａで示す）可能なベース部３と、このベース部３の上部に順次、取り付けられた第１および第２アーム部４，５とを備えており、その第２アーム部５の先端部５ａに手首部６を介してロボットハンド７が取り付けられている。すなわち、前記ベース部３の上部には、左右一対の支持壁部３ａが設けられ、それらに挟まれた状態で第１アーム部４の基端部が水平軸線ｂの周りに回動可能に支持されている。これにより第１アーム部４は、矢印Ｂで示すように上下に傾倒可能になっている。
【００２３】
また、前記第１アーム部４は先端部が二股に分かれていて、その間に第２アーム部５の基端部を軸線ｃの周りに回動可能に支持しており、これにより第２アーム部５も上下方向に傾倒（矢印Ｃ）可能になっている。この第２アーム部５の先端には、その長手方向の軸線ｄの周りに回動（矢印Ｄ）可能な状態で二股状の先端部５ａが設けられており、その間に円柱状の手首部６が軸線ｅの周りに回動（矢印Ｅ）可能に支持されている。そして、その手首部６の先端、すなわち図の左手前寄りの端部には軸線ｆの周りに回動（矢印Ｆ）可能にロボットハンド７が取り付けられている。
【００２４】
前記のロボットハンド７は図２にも示すように、掌に相当するボックス部７０と、指に相当するロッド７１およびフィンガ７２とを備えている。ボックス部７０は平面視では長方形状で、手首部６の軸線ｆの方向（図２に示すＹ方向であり、以下、ロボットハンド７について前後方向ともいう）に相対的に短く、これに直交するＸ方向（左右方向）には相対的に長い。また、図の例では上下方向であるＺ方向の寸法、即ち掌の厚みが、その前後の長さに比べても小さくなっている。
【００２５】
そして、前記のボックス部７０の後側が手首部６に回動可能に連結されている一方、前側には左右一対の矩形断面のロッド７１がそれぞれ前方に延びるように設けられている。このロッド７１のそれぞれには下方に延びるように一対の丸棒状のフィンガ７２が設けられており、これらが互いにロッド７１の長手方向に近接および離遠するとともに、一対のロッド７１同士も互いに近接および離遠するようになっている。
【００２６】
詳しくは図３に上方から透視して示すように、前記ボックス部７０の内部には前後の中央付近において左右に延びるようにしてねじ軸７３が支持され、その一側の端部に設けられた被駆動ギヤ７４が電動モータ７５の駆動ギヤ７６と噛み合わされている。このねじ軸７３は、長手方向の一側（左側）に右回りの雄ねじが設けられる一方、他側（右側）には左回りの雄ねじが設けられていて、それぞれに対応する雌ねじの形成された一対のナット７７が螺合されている。この一対のナット７７は、それぞれ前記ロッド７１の基端部に一体的に設けられている。
【００２７】
そして、電動モータ７５の作動により駆動ギヤ７６および被駆動ギヤ７４が回転され、ねじ軸７３が例えば左回りに回転すると、一対のナット７７が互いに接近するように移動する一方、ねじ軸７３が右回りに回転すればナット７７は互いに離遠するように移動する。つまり、それぞれがロッド７１を支持する一対のナット７７が、ねじ軸７３の回転によってその長手方向に逆向きに移動することにより、図に白抜きの矢印で示すように一対のロッド７１が互いに近接、離遠するようになっている。
【００２８】
同様の駆動機構が各ロッド７１内にそれぞれ設けられており、当該ロッド７１の長手方向に延びるねじ軸７８には一対のナット７９が螺合されていて、それぞれにフィンガ７２の基端部が例えば締結等により固定されている。そして、ねじ軸７８の後端に連結された電動モータ８０が作動し、これによりねじ軸７８が例えば右回りに回転するとナット７９が互いに接近するように移動し、一方、ねじ軸７８が左回りに回転すればナット７９は互いに離遠するように移動する。こうして一対のフィンガ７２がロッド７１の長手方向に近接、離遠するようになっている。
【００２９】
つまり、この実施形態のロボットハンド７には、各々真っ直ぐな４本のフィンガ７２が平行に配置されていて、それらが互いに近接および離遠することにより開閉されるものである。詳しくは図４を参照して後述するが、ロボットハンド７の４本のフィンガ７２を収納箱Ｂに挿入して、把持対象である部品Ｐを取り囲むように位置づけ（図４(a)）、そこから閉じることによって該部品Ｐを把持することができる（同図(b)）。尚、図の例では収納箱Ｂは、それぞれ部品Ｐを収納する４つの区画ｂ１に分割されている。
【００３０】
−フィンガの構造−
この実施形態では特徴的な構成として、前記したロボットハンド７の４本のフィンガ７２にそれぞれコイルばね８１を巻き付けて、滑り止めの効果を発揮させるとともに対象物の把持状態を安定化させる機能を持たせている。すなわち、前記の図２に示すように４本のフィンガ７２は、基本的には金属製の丸パイプからなるもので、図示はしないがその上端（基端）が、前記のようにロッド７１のねじ軸７８のナット７９に固定されている一方、フィンガ７２の下端、即ち先端にはコイルばね８１の脱落を阻止するように樹脂製のプラグ８２が取り付けられている。
【００３１】
図２には手前側のフィンガ７２について分解して示すように、プラグ８２は、円盤状の基部８２ａの一側（図の上側）に雄ねじの設けられた軸部８２ｂが、また、反対側には先細りの円錐部８２ｃがそれぞれ一体に形成されていて、その軸部８２ｂがフィンガ７２の下端の開口（図示せず）にねじ込まれている。すなわち、丸パイプからなるフィンガ７２の内周には、少なくとも下端部において雌ねじが形成されており、ここに前記軸部８２ｂの雄ねじがねじ込まれる。
【００３２】
そうしてフィンガ７２の下端に取り付けられたプラグ８２の円盤状の基部８２ａの外径はフィンガ７２の外径よりも大きく、この基部８２ａの上面がフィンガ７２の先端側においてコイルばね８１の下端（先端）に当接し、それ以上は下方には変位しないように受け止める受け部となる。一方、プラグ８２の円錐部８２ｃは下方に向かって先細りとなるテーパ部であって、後述するようにフィンガ７２をその先端から部品の収納箱Ｂ等に挿入する際のガイドとして機能する。
【００３３】
また、フィンガ７２の基端側、即ち図の上側には外周に環状溝が形成されていて、これに樹脂製のリング部材８３が外嵌めされている。このリング部材８３は、コイルばね８１の上端（基端）に当接してそれ以上、上方に変位しないように受け止めている。こうして上端をリング部材８３により、また、下端を前記プラグ８２の基部８２ａによりそれぞれ受け止められて、コイルばね８１は所定量、予圧縮された状態になっている。一方、それら上下両端を除いたコイルばね８１の中間部分の巻き線８１は、フィンガ７２の外周に沿って長手方向に変位可能になっている。
【００３４】
より詳しくはコイルばね８１は、一例として断面円形状の線材を螺旋状に巻回（コイリング）してなり、そのコイルの軸芯方向に見るとほぼ真円形状をなす。このコイルの内径はフィンガ７２（丸パイプ）の外径よりも少しだけ大きく設定されており、フィンガ７２の外周とこれを取り囲むコイルばね８１の内周との間には、例えば、フィンガ７２の外径が１０ｍｍの場合において数百ミクロンから数ミリ程度（〜９ｍｍ）のクリアランスが設けられている。このクリアランスは、後述の如くコイルばね８１の巻き線がフィンガ７２の外周に沿って長手方向にスムーズに変位するように設定したものである。
【００３５】
また、この実施形態では４つのコイルばね８１のうちの２つ（図の例では最も手前のもの、および最も奥のもの）が右巻きで、それ以外の２つのコイルばね８１は左巻きである。これは、仮に全てのコイルばね８１が右巻きであるとすれば、それらのコイルばね８１を介して４本のフィンガ７２により把持される部品Ｐが重力を受けると、それぞれのコイルばね８１から巻き線に沿って左回りに自転するような力が作用することになり、これにより部品Ｐが左回りに自転しながら脱落するおそれがあるからである。
【００３６】
−ロボットハンドの作動およびその作用効果−
次に、上述したロボットハンド７のフィンガ７２により、一例として卵形の部品Ｐを把持する状態について図４を参照して説明する。同図(a)は、部品Ｐの収納箱Ｂにフィンガ７２を挿入する状況を、また、同図(b)は部品Ｐを把持した状態をそれぞれ模式的に示している。
【００３７】
まず、前記の図２に示すようにロボットハンド７を収納箱Ｂの一区画ｂ１の上方に位置づけて、４本のフィンガ７２の位置をそれぞれ区画ｂ１の４隅に合わせた後に、ロボット１の第１、第２アーム部４，５を協働させて、図４(a)に矢印で示すようにロボットハンド７を下方に移動させる。こうすると、同図(b)のように４本のフィンガ７２が区画ｂ１の４隅に挿入される。こうしてフィンガ７２を真っ直ぐに挿入するのであれば、収納箱Ｂの一区画ｂ１の４隅にはフィンガ７２の太さに加えて最小限の隙間があればよい。
【００３８】
しかも、そうして挿入するときに各フィンガ７２の先端のプラグ８２の円錐部８２ｃがガイドとして機能するので、ロボットハンド７の制御精度があまり高くなくてもフィンガ７２を収納箱Ｂの一区画ｂ１の４隅に沿わせて挿入することができる。また、このときに仮に区画ｂ１の周壁とフィンガ７２のコイルばね８１とが擦れたとしても、そのコイルばね８１の撓みによって衝撃が吸収、緩和されるようになるので、区画ｂ１の周壁にもフィンガ７２にも傷が付く心配は少ない。
【００３９】
そうして４本のフィンガ７２をそれぞれ収納箱Ｂの一区画ｂ１の４隅に挿入した後、図(b)のように閉じて部品Ｐを把持すると、これらのフィンガ７２によって囲い込まれた部品Ｐの表面には各フィンガ７２の外周面が接触して、水平方向の移動を規制するようになる。また、フィンガ７２に巻き付けられているコイルばね８１の巻き線も部品Ｐの表面に接触し、この部品Ｐの表面の凸形状に対応して押し退けられることにより、図には誇張して示すように上下に、即ちフィンガ７２の長手方向に変位するようになる。
【００４０】
このため、４本のフィンガ７２によって取り囲まれる部品Ｐの表面において、図に丸印Ｃとして示すように、フィンガ７２の外周およびコイルばね８１の巻き線との有効な接触点が増大する傾向になり、個々の接触点Ｃにおける摩擦力はあまり大きくなくとも、言い換えるとあまり大きな把持力を必要とせずに、部品Ｐを安定して把持することができる。しかも、前記のように押し退けられてフィンガ７２の長手方向に変位したコイルばね８１の巻き線は、部品Ｐを上下から挟むように弾発力を作用させることになり、これによっても把持の状態が安定する。
【００４１】
すなわち、前記のようにコイルばね８１の巻き線との接触により幾何学的に、または、その接触点Ｃにおける摩擦力でもって部品Ｐのフィンガ長手方向への移動を拘束しつつ、当該部品Ｐに外力が加わったときにはコイルばね８１が撓み、その巻き線との接触点Ｃがフィンガ長手方向に変位するようになる。このため、周囲の物体との干渉等により衝撃が加わっても部品Ｐとフィンガ７２（コイルばね８１を含む）との接触状態が変化することを抑制できるとともに、その衝撃による部品Ｐやフィンガ７２、或いはロボットハンド７ひいてはロボット１へのダメージが軽減される。
【００４２】
さらに、そのようにコイルばね８１の巻き線をフィンガ７２の長手方向にスムーズに変位させるために、この実施形態ではフィンガ７２の外周とこれを取り囲むコイルばね８１の巻き線とのクリアランスを、前記のように小さすぎず、大きすぎない適切な範囲に設定している。すなわち、クリアランスが小さすぎると、コイルばね８１の巻き線がフィンガ７２の外周に沿って滑り難くなるからである。尚、クリアランスが大きすぎれば、部品Ｐを把持した状態で巻き線はコイルの半径方向に、即ちフィンガ７２の長手方向でなくその半径方向に大きく撓んでしまい、コイルばね８２を含めたフィンガ７２の存在領域が見かけ上、大きくなるという不具合を生じる。
【００４３】
また、前記のように部品Ｐを把持する際に押し退けられたコイルばね８１の巻き線によって部品Ｐの表面を好適に把持するためには、その部品Ｐの寸法や形状、特に部品表面の屈曲形状とコイルばね８１の巻き線の太さやピッチとの間に好ましい関係がある。例えば巻き線の間隔には、部品Ｐの表面の凸形状に対応して広すぎず、狭すぎない好ましい範囲がある。
【００４４】
そこで、好ましくは把持対象である部品Ｐの寸法や形状、特に部品表面の屈曲形状に応じて、コイルばね８１の巻き線の太さやピッチを選定することにより、その部品Ｐに好適な把持状態を実現することができる。言い換えると、この実施形態では、フィンガ７２に装着するコイルばね８１を、主に把持する部品Ｐの寸法、形状等によって交換するだけで、多種多様な寸法、形状を有する部品のそれぞれを好適に把持することができるものである。
【００４５】
さらにまた、図示は省略するが、前記のようにして把持した部品Ｐを収納箱Ｂから取り出すときにも、その一区画ｂ１の４隅に挿入されているフィンガ７２が周囲の壁と干渉する心配はないし、部品Ｐを搬送する途中やそれを別の箱に収納する際に仮に周囲の機器等との間で干渉が生じたとしても、これによる衝撃は前記したようにコイルばね８１の撓みによって吸収、緩和されるので、部品Ｐの把持状態は安定しており、その衝撃による部品Ｐやフィンガ７２等へのダメージは少ない。
【００４６】
したがって、この実施形態に係るロボットハンド７によると、部品Ｐを把持する４つのフィンガ７２にそれぞれコイルばね８１を巻き付けるという簡単な構造で、比較的低コストでありながら、部品Ｐとの接触点Ｃが増大し滑り止め効果の高まることが期待できる。よって、それら接触点における摩擦力をあまり大きくせずに、高い把持性能を安定的に得ることができる。
【００４７】
また、ローレット加工のように摩耗によって滑り止め効果が低下する心配も少なく、仮に長期間の使用によってコイルばね８１がへたったとしても、それを交換するだけで容易に回復することができる。
【００４８】
さらに、そうしてコイルばね８１を巻き付けているだけなので、フィンガ７２自体あまり太くはならないし、例えば多関節のフィンガのように部品Ｐを把持する際に関節部分が外に張り出すことはないから、４本のフィンガ７２を備えたロボットハンド７全体としても大きくはなり難く、狭隘な環境下でも使用しやすい。
【００４９】
−その他の実施形態−
上述した実施形態の説明はあくまで例示に過ぎず、本発明、その適用物またはその用途を何ら制限するものではない。例えば、上述の実施形態では、ロボットハンド７のフィンガ７２を真っ直ぐな丸パイプによって構成しているが、これはパイプではなく棒状の部材によって構成してもよいし、或る程度は曲がっていても構わない。細い場所に挿し込むときには真っ直ぐな方が有利であるが、前記のような卵形の部品Ｐを把持するのであれば、それを包み込むような緩やかな湾曲形状であることが有利な場合もある。基本的には真っ直ぐな形状としながら、先端部だけ少し湾曲させてもよい。
【００５０】
また、フィンガ７２の断面形状は真円形状に限らず、楕円や長円形状であってもよいし、角にアールのついた矩形状であってもよい。この場合にはフィンガ７２の外周、特に把持面との間に所要のクリアランスが設けられるように、コイルばね８１についても楕円や長円形状、或いは矩形状としてもよい。加えて、コイルばね８１の巻き線の断面形状も円形には限らず、例えば巻き線の断面が矩形状のいわゆる角ばねを用いてもよい。
【００５１】
さらに、一例を図５に示すように、フィンガ７２の長手方向の中間部に括れ部７２ａを設けてもよい。図示のように括れ部７２ａは、フィンガ７２の長手方向の所定範囲に亘って漸進的に外径が変化し、中央部位にて最も縮径するように滑らかな曲面によって形成する。こうすれば、図示のように比較的大きな部品Ｐを把持するときに、その表面の凸形状にフィンガ７２の括れ部７２ａにおける外周面の形状が合致して、両者が互いに沿うようになり、有効な接触点Ｃが増える可能性がある。
【００５２】
また、一例を図６に示すように、長手方向に巻き線のピッチが異なる、いわゆる不等ピッチのコイルばね８４を用いてもよい。同図(a)に示すようにコイルばね８４の巻き線ピッチはフィンガ７２の先端側（図の下端側）で相対的に狭くなっており、一方、基端側では相対的に広くなっている。その先端側の部分で比較的小さな部品Ｐを把持した状態を示す同図(b)では、部品Ｐの表面に接触して押し退けられた部分の巻き線の間隔が広がっている。小さな部品Ｐは通常、表面の凸形状のアール（曲率半径）が小さいので、コイルばね８４の巻き線のピッチが狭い方がその間に把持しやすいのである。
【００５３】
一方、比較的大きな部品については、図示は省略するが、コイルばね８４の巻き線ピッチが大きなフィンガ７２の基端側の部分において好適に把持することができるから、１つのコイルばね８４によって、大きさや形状の異なる２以上の部品Ｐをそれぞれ好適に把持することができる。尚、例えば巻き線ピッチの狭いところではその太さを細くする等、コイルばねの巻き線の太さについても異ならせてもよい。
【００５４】
さらにまた一例を図７に示すように、フィンガ７２の先端にプラグ８２に代えて吸着パッド８５を装着すれば、これにより部品Ｐ等を吸着して搬送することもできる。図示の吸着パッド８５は、プラグ８２と同様の円盤状の基部８５ａの上部に、筒状の軸部８５ｂが形成され、その内部が丸パイプからなるフィンガ７２の内部と連通している。一方、基部８５ａの下方には円錐部８２ｃの代わりに蛇腹状の吸盤部８５ｃが形成されており、図示は省略するが、フィンガ７２の内部に上方から挿通したホースの下端を前記軸部８５ｂに接続して、吸盤部８５ｃに負圧を供給することができる。
【００５５】
また、そうして装着する吸着パッド８５は、同図(b)に示すようにフィンガ７２の長手方向に進退可能に設けてもよい。こうすれば、吸着する部品Ｐの表面に当接した複数の吸着パッド８５がそれぞれ進退することで、自ずと部品Ｐの表面形状に沿った好適な位置関係になるから、吸着状態がより安定する。この際、コイルばね８１は、吸着パッド８５を進出するように付勢する機能も果たすことになる。
【産業上の利用可能性】
【００５６】
以上の如く、本発明に係るロボットハンドのフィンガ構造は、簡単な構造であまりコストの増大を招くことなく、所要の把持性能および耐久性が得られる上に、狭隘な環境下での使用にも適しており、例えば工業用部品のピックアップ等の用途に好適である。
【符号の説明】
【００５７】
１          ロボット
７          ロボットハンド
７２      フィンガ
７２ａ    括れ部
８１      コイルばね
８２      プラグ
８２ａ    基部（受け部）
８２ｃ    円錐部（テーパ部）
Ｐ          部品（把持対象物）
【図１】
0005416642.tif 000002
【図２】
0005416642.tif 000003
【図３】
0005416642.tif 000004
【図４】
0005416642.tif 000005
【図５】
0005416642.tif 000006
【図６】
0005416642.tif 000007
【図７】
0005416642.tif 000008